(57)【要約】【課題】格納装置のスタッキングシステムを提供する。【解決手段】メイン格納装置と、輔助格納装置とを備え、メイン格納装置の電気入力インターフェイスと、データーリンクインターフェイスを用いて、それぞれ電気を取り込、外部のネットワークに接続し、メイン格納装置内部の電子部品に電気を導通し、引き続き、電気出力インターフェイスを介して、輔助格納装置の電気導入インターフェイスと電気接続し、輔助格納装置が電気を取り込み、メインデーターブリッジインターフェイスと輔助格納装置の輔助データーブリッジインターフェイスとを電気接続することによって、電気導通した後の輔助格納モジュールが輔助データーブリッジインターフェイスと、メイン格納装置を経由して、データー伝送を実現する。【選択図】図１
2016207213.tif 000002
【特許請求の範囲】
【請求項１】
格納装置のスタッキングシステムであって、
電気及びデーター伝送の整合システムは、メイン格納装置（１０）と、輔助格納装置（２０）と、を備え、
前記メイン格納装置（１０）は、少なくとも一つの電気入力インターフェイス（１１）と、少なくとも一つの電気出力インターフェイス（１２）と、一つの電気管理モジュール（１３）と、少なくとも一つのデーターリンクインターフェイス（１４）と、少なくとも一つのメインデーターブリッジインターフェイス（１５）と、一つのデーター管理モジュール（１６）と、メイン格納モジュール（１７）とを含む、第１基板（１８）によって、載置及び相互に電気接続され、
前記輔助格納装置（２０）は、少なくとも一つの電気導入インターフェイス（２１）と、少なくとも一つの輔助データーブリッジインターフェイス（２２）と、一つの輔助格納モジュール（２３）とを含む、第２基板（２４）によって、載置及び相互に電気接続され、
前記メイン格納装置（１０）の前記電気入力インターフェイス（１１）によって電気を取り込み、かつ前記データーリンクインターフェイス（１４）を外部のネットワークに接続することによって、前記電気管理モジュール（１３）と、前記データー管理モジュール（１６）と、前記イン格納モジュール（１７）とを電気導通され、引き続き、前記電気出力インターフェイス（１２）と、前記輔助格納装置（２０）の電気導入インターフェイス（２１）とを電気接続することによって、前記輔助格納装置（２０）の前記電気導入インターフェイス（２１）と電気接続し、前記輔助格納装置（２０）が電気を取り込み、前記メインデーターブリッジインターフェイス（１５）と、前記輔助格納装置（２０）の前記輔助データーブリッジインターフェイス（２２）とを電気接続することによって、電気導通した後の前記輔助格納装置（２０）が前記輔助データーブリッジインターフェイス（２２）と、前記メイン格納装置（１０）とを介して、データー伝送を実現することを特徴とする、格納装置のスタッキングシステム。
【請求項２】
前記電気管理モジュール（１３）は、電圧変換単元（１３１）を含むことを特徴とする、請求項１記載の格納装置のスタッキングシステム。
【請求項３】
前記輔助格納装置（２０）は、輔助電気管理モジュール（２５）を有し、前記輔助電気管理モジュール（２５）によって、第２基板（２４）を載置及び電気接続され、前記輔助電気管理モジュール（２５）は、輔助電圧変換単元（２５１）を有することを特徴とする、請求項１記載の格納装置のスタッキングシステム。
【請求項４】
前記輔助格納装置（２０）は、少なくとも一つのエクステンションデーターリンクインターフェイス（２６）と、少なくとも一つのエクステンション電気出力インターフェイス（２７）とを有し、前記第２基板（２４）によって載置及び相互に電気接続することを特徴とする、請求項１記載の格納装置のスタッキングシステム。
【請求項５】
前記輔助格納装置（２０）は、少なくとも一つの輔助データーリンクインターフェイス（２８）を有し、前記輔助データーリンクインターフェイス（２８）は、前記第２基板（２４）によって載置及び相互に電気接続することを特徴とする、請求項１記載の格納装置のスタッキングシステム。
【請求項６】
前記輔助格納装置（２０）は、データー処理モジュール（２９）と、映像出力モジュール（３０）とを有し、前記第２基板（２４）によって載置及び相互に電気接続することを特徴とする、請求項１記載の格納装置のスタッキングシステム。
【請求項７】
前記輔助格納装置（２０）は、前記輔助データー処理モジュール（２９）を含むことを特徴とする、請求項１記載の格納装置のスタッキングシステム。
【発明の詳細な説明】
【技術分野】
【０００１】
本発明は格納装置の組み合わせシステムに関し、特に電源とデーターを統合管理できるシステムに関する。係るシステムはメイン格納装置による付属格納装置の拡張を電気的に直列接続してデーターを相互に伝送し、特にメイン格納装置にてすべての電気とデーターを一元化に管理できるシステムに関する。
【背景技術】
【０００２】
デジタル時代の現在は、各種情報をデジタルデーターに変換しており、これらの情報を保存するためには、データー格納メデイアの方式で保存されている。さらに、現在のようなネットワークの普及度は、格納方式も以前のディスクドライブ単体をキャリアとしたソリューションを遠隔地によるネットワーク格納ソリューションに変わっている。
【０００３】
格納システムについて、以下にいくつかの特許文献を取り挙げる。
【０００４】
中華民国実用新案特許ＴＷ  １０２１０４８４３号（特許文献１）は、クラウドネットワーク上のハードディスクアレイ供給システムであって、複数の安価のハードウェアより構築するホストは、使用者の需要に応じて、動的にネットワークハードディスクアレイサービスを提供される。前記複数のホストは、制御ホストと、複数の格納ホストとを含む、前記複数の格納ホストによって、前記ハードディスクを前記制御ホストの接続に提供し、前記制御ホストよりハードディスクアレイの演算プロセスを実行し、自らと前記複数のハードディスクを一つのハードディスクアレイクラスタを構築される。使用者がネットワークを介して、制御ホストに接続すれば、前記ハードディスクアレイクラスタをアクセスすることができる。係るシステムのハードディスクアレイクラスタは、複数のホストをネットワークによって接続して構築される。ホストの追加、削除及び位置と役割の選択及び、使用者の需要に応じて、クラウドネットワークハードディスクアレイサービスを提供し、様々な格納スペース、格納速度とデーターセキュリティの需要を満足される。
【０００５】
さらに、中華民国実用新案特許ＴＷ  １０２１０８５６４号（特許文献２）は、格納スペースの拡張システムであって、前記システムに複数のクラウド格納スペースを設けて、ネットワークのローカル格納スペースのバックアップ順位をサポート。前記ネットワーク装置が新規格納データーを受信したとき、前記システムがローカル格納スペースの残存容量のチェックが実行される。前記ローカル格納スペースの残存容量が既定値に等しいかまたはより大きいとき、前記システムによって、新規データーをローカル格納スペースに格納される。そして、前記ローカル格納スペースの残存容量が既定値を下回っている場合は、前記システムが前記ローカル格納スペースの一番古い格納データーをバックアップ順位に従って、コピーデーターを相応のクラウド格納スペースに格納し、ローカル格納スペースの残存容量が既定値に等しいかより大きいまでに、ローカル格納スペースからコピーされたデーターを削除する。
【０００６】
さらに、中華民国実用新案特許ＴＷ  Ｉ３３３６２０号（特許文献３）は、ポータブルネットワークアクセスポイント装置であって、ファイアワイア（ＦｉｒｅＷｉｒｅ）または汎用シリアルバス（ＵＳＢ）よりマッピングされたネットワークディスクドライブをアクセスできる。前記装置は、アクセスネットワークと、ネットワークディスクドライブ共有に必要なすべての機能を有する。前記ハードウェアの一端にイーサーネットワークを有し、他端にＵＳＢまたはＦｉｒｅＷｉｒｅを有する。ネットワークに接続されたとき、前記装置は計画されたすべての共有ネットワークディスクドライブとの接続が実行される。
ＵＳＢ／ＦｉｒｅＷｉｒｅを介してコンピューターに接続したときは、前記コンピューターにドライバーをロードし、リストされたディスクドライブがマッピングされる。これらのディスクドライブをアクセスするために、前記コンピューターにはネットワークスタックごとをロードする必要はない。１回のアロケーションのみで、技術者はいずれかのコンピューターより、共有のディスクドライブをアクセスすることができ、それらのコンピューターのネットワーク設定またはディスクドライブマッピングの再アロケーションする必要はない。ＵＳＢ／ＦｉｒｅＷｉｒｅ接続ポートを介して、前記コンピューターシステムにリストされた格納装置をアクセスすることができる。
しかしながら、ネットワークでリストされたものと同じく、前記装置は、ネットワークに接続されたネットワークカードように見える。係る発明は、ポータブルネットワークアクセスポイント装置の計算システムをさらに結合しており、ＦｉｒｅＷｉｒｅまたはＵＳＢを介して、マッピングされたネットワークディスクドライブをアクセスすることができる。前記装置は、ネットワークディスクドライブ共有に必要なすべての機能を有する。
前記ハードウェアの一端にイーサーネットワークを有し、他端にＵＳＢまたはＦｉｒｅＷｉｒｅを有する。ネットワークに接続されたとき、前記装置は計画されたすべての共有ネットワークディスクドライブとの接続が実行される。ＵＳＢ／ＦｉｒｅＷｉｒｅを介してコンピューターに接続したとき、前記コンピューターにドライバーをロードし、リストされたディスクドライブがマッピングされる。これらのディスクドライブをアクセスするために、前記コンピューターにはネットワークスタックごとをロードする必要はない。１回のアロケーションのみで、技術者はいずれかのコンピューターより、共有のディスクドライブをアクセスすることができ、それらのコンピューターのネットワーク設定またはディスクドライブマッピングの再アロケーションする必要はない。
ＵＳＢ／ＦｉｒｅＷｉｒｅ接続ポートを介して、前記コンピューターシステムにリストされた格納装置をアクセスすることができる。しかしながら、ネットワークでリストされたものと同じく、前記装置は、ネットワークに接続されたネットワークカードように見える。
【先行技術文献】
【特許文献】
【０００７】
【特許文献１】中華民国実用新案特許ＴＷ  １０２１０４８４３号
【特許文献２】中華民国実用新案特許ＴＷ  １０２１０８５６４号
【特許文献３】中華民国実用新案特許ＴＷ  Ｉ３３３６２０号
【発明の概要】
【発明が解決しようとする課題】
【０００８】
しかしながら、多くのソリューションは企業環境向けであり、単純、しかも高速に個人環境での使用は提供されていない。加えて、構築コストと専業知識の要求もかなりのハードルがある。さらに、多様化機能についても、選択はあまり多くない。
【課題を解決するための手段】
【０００９】
前記課題を解決するため、本発明の主な目的は、格納装置のスタッキングシステムを提供し、前述課題の解決を図る。
【００１０】
前述課題のために、本発明より提供する格納装置のスタッキングシステムは、主にメイン格納装置によって、電気を直列接続し、データーリンク及び集中管理し、もう一つの輔助格納装置を増設することによって、メイン格納装置の格納スペースを拡張する。
【００１１】
よって、本発明の主な目的は、格納装置のスタッキングシステムを提供し、電気／データーを一元化に管理して置き、格納スペースを簡単に追加できる効果を有する。
【００１２】
本発明のもう一つの目的は、格納装置のスタッキングシステムを提供し、本発明によれば、格納容量装置の拡張制限を軽減できる。
【００１３】
本発明のさらに一つの目的は、格納装置のスタッキングシステムを提供し、それぞれに内蔵する電圧変換単元を介して、外部の交流電気を直流電気に変換し、メイン格納装置の初期購入コストを軽減できる。
【００１４】
本発明のさらに一つの目的は、格納装置のスタッキングシステムを提供し、データーブリッジ手段を利用し、格納スペースを追加できるほかに、付加機能も追加できる。
【００１５】
本発明のさらに一つの目的は、格納装置のスタッキングシステムを提供し、既存装置の拡張により、利用性を向上し、古い装置の淘汰を有効に軽減できる。
【００１６】
前述目的を達成するため、本発明の主な手段は、以下の技術手段によって実現される。本発明の格納装置のスタッキングシステムは、電気とデーター伝送を整合するシステムであり、主にメイン格納装置と、輔助格納装置とを備える。
メイン格納装置は少なくとも一つの電気入力インターフェイスと、少なくとも一つの電気出力インターフェイスと、電気管理モジュールと、少なくとも一つのデーターリンクインターフェイスと、少なくとも一つのメインデーターブリッジインターフェイスと、一つのデーター管理モジュールと、第１基板によって載置及び相互に電気接続するメイン格納モジュールと、を含む。
その特徴として、係るメイン格納装置の輔助格納装置は電気入力インターフェイスによって電気を取り込み、データーリンクインターフェイスと外部ネットワークと接続することによって、電気管理モジュールと、データー管理モジュールと、メイン格納モジュールに電気導通させ、引き続き、電気出力インターフェイスと、輔助格納装置の電気導入インターフェイスと電気接続し、輔助格納装置が電気を取り込み、メインデーターブリッジインターフェイスと、輔助格納装置の輔助データーブリッジインターフェイスとを電気接続することによって、電気導通した後の輔助格納モジュールが輔助データーブリッジインターフェイスを介して、メイン格納装置とデーター伝送を達成する。
【００１７】
本発明の目的と技術解決はさらに以下の手段によってさらに実現することができる。
【００１８】
前述した格納装置のスタッキングシステムの電気管理モジュールは、電圧変換単元を含む。
【００１９】
前述した格納装置のスタッキングシステムの輔助格納装置は、輔助電気管理モジュールを有し、輔助電気管理モジュールによって、第２基板を載置及び電気接続され、輔助電気管理モジュールは、輔助電圧変換単元を有する。
【００２０】
前述した格納装置のスタッキングシステムの輔助格納装置は、少なくとも一つのエクステンションデーターリンクインターフェイスと、少なくとも一つのエクステンション電気出力インターフェイスとを有し、第２基板によって載置及び相互に電気接続される。
【００２１】
前述した格納装置のスタッキングシステムの輔助格納装置は、少なくとも一つの輔助データーリンクインターフェイスを有し、輔助データーリンクインターフェイスは、第２基板によって載置及び相互に電気接続される。
【００２２】
前述した格納装置のスタッキングシステムの輔助格納装置は、データー処理モジュールを有し、第２基板によって載置及び相互に電気接続される。
【００２３】
前述した格納装置のスタッキングシステムの輔助格納装置は、輔助データー管理モジュールを有する。
【発明の効果】
【００２４】
公知技術に比べて、本発明は、（１）格納容量を簡単、かつ高速に追加する機能、（２）電圧変換単元を独立させることによって、拡張の制限及び高い初期構築コストを軽減できる、（３）データーブリッジによって、装置の機能付加に無限な可能性を与えられる効果を有する。
【図面の簡単な説明】
【００２５】
【図１】本発明の最良の実施形態のシステム第１態様図である。
【図２】本発明の最良の実施形態のシステム第２態様図である。
【図３】本発明の最良の実施形態のシステム第３態様図である。
【図４】本発明の最良の実施形態のシステム第４態様図である。
【図５】本発明の最良の実施形態のシステム第５態様図である。
【発明を実施するための形態】
【００２６】
本発明の目的、特徴及び機能をより明らかに、分かりやすくするため、以下に本発明の最良の実施形態を取り挙げて、詳しく説明する。
【実施例】
【００２７】
図１ないし５、本発明のタッキングシステムの主な実施形態を参照する。まず、図１を参照する。本発明はメイン格納装置（１０）と、輔助格納装置（２０）と、を備える。
【００２８】
図１を再び参照する。係るメイン格納装置（１０）は、電気入力インターフェイス（１１）と、電気出力インターフェイス（１２）と、電気管理モジュール（１３）と、データーリンクインターフェイス（１４）と、メインデーターブリッジインターフェイス（１５）と、データー管理モジュール（１６）と、メイン格納モジュール（１７）とを含む、第１基板（１８）によって、載置及び相互に電気接続されている。
【００２９】
具体的には、係る電気入力インターフェイス（１１）は外部の交流電気（Ａｌｔｅｒｎａｔｉｎｇ  Ｃｕｒｒｅｎｔ，ＡＣ）に接続していて、メイン格納装置（１０）に必要な電源を取り込むインターフェイスであり、一方、電気出力インターフェイス（１２）は、係る電気入力インターフェイス（１１）より外部の交流電気（Ａｌｔｅｒｎａｔｉｎｇ  Ｃｕｒｒｅｎｔ，ＡＣ）を取次伝送するインターフェイスである。
係る電気管理モジュール（１３）の主な機能は、係る電気入力インターフェイス（１１）によって取り込まれた外部の交流電気（Ａｌｔｅｒｎａｔｉｎｇ  Ｃｕｒｒｅｎｔ，ＡＣ）のパワーを安全に使用させることと、データーリンクインターフェイス（１４）と、メインデーターブリッジインターフェイス（１５）と、データー管理モジュール（１６）と、メイン格納モジュール（１７）と、第１基板（１８）の稼働に必要な電源及び省エネ機能を提供される。
引き続き、係るデーターリンクインターフェイス（１４）は、外部ネットワークに接続するインターフェイスを指す、係るネットワークは有線ネットワークまたは無線ネットワークであり、これによって、係るメイン格納装置（１０）と外部とを関連付けして、外部から関連リソースを利用できるようにする。
係るメインデーターブリッジインターフェイス（１５）は、主に輔助格納装置（２０）と電気接続して、データー伝送のほかに、取次接続後の関連リソースを管理する。係るデーター管理モジュール（１６）は、複雑なコンピュータープロセスを実行するマイクロプロセッサー（Ｍｉｃｒｏｐｒｏｃｅｓｓｏｒ，ｕＰ）を指す。
引き続き、メイン格納モジュール（１７）は、情報を格納される装置であり、一般的に、情報をデジタル化した後に、電気、磁気または光学等の媒体によって格納される。通常は、電気エネルギー方式によって情報を格納する装置または電磁エネルギー方式によって情報を格納する装置である。
最後に、係る第１基板（１８）は、一般として、回路基板（ｃｉｒｃｕｉｔ  ｂｏａｒｄ）であり、一例として、係る基板は一層または多層回路を有するプリント基板である。このほかに、必要に応じて、係る基板はリードフレーム、フィルム回路（Ｆｉｌｍ  ｃｉｒｃｕｉｔ）、ＢＴ電気回路板または各種のチップキャリアであっても良い。
【００３０】
図１を再び参照する。係る輔助格納装置（２０）は、電気導入インターフェイス（２１）と、輔助データーブリッジインターフェイス（２２）と、輔助格納モジュール（２３）とを含む、第２基板（２４）によって、載置及び相互に電気接続されている。
【００３１】
実際で言うと、係る電気導入インターフェイス（２１）は外部の交流電気（Ａｌｔｅｒｎａｔｉｎｇ  Ｃｕｒｒｅｎｔ，ＡＣ）と電気接続し、輔助格納装置（２０）に必要な電源を取り込むインターフェイスであり、ここでは、係る電気導入インターフェイス（２１）は、主に電気接続して、係るメイン格納装置（１０）の電気出力インターフェイス（１２）から取次伝送された外部の交流電気（Ａｌｔｅｒｎａｔｉｎｇ  Ｃｕｒｒｅｎｔ，ＡＣ）を取り込むインターフェイスである。
係る補助デーダーブリッジインターフェイス（２２）は、メインデーターブリッジインターフェイス（１５）に電気接続して、係るメイン格納装置（１０）のデーター管理モジュール（１６）のデーター伝送のほかに、取次接続された係る輔助格納装置（２０）のリソースを管理する。係る輔助格納モジュール（２３）は、情報を格納する装置であり、一般としては、情報をデジタル化した後に、電気、磁気または光学等の方式の媒体によって格納される。通常は、電気エネルギー方式によって情報を格納する装置または電磁エネルギー方式によって情報を格納する装置である。
最後に、係る第２基板（２４）は、一般としては回路基板（ｃｉｒｃｕｉｔ  ｂｏａｒｄ）、一例として、係る基板は一層または多層回路を有するプリント基板である。このほかに、必要に応じて、係る基板はリードフレーム、フィルム回路（Ｆｉｌｍ  ｃｉｒｃｕｉｔ）、ＢＴ電気回路板または各種のチップキャリアであっても良い。
【００３２】
好ましくは、図２に示すように、係る電気管理モジュール（１３）は電圧変換単元（１３１）を含む、係る輔助格納装置（２０）は輔助電気管理モジュール（２５）を含む、輔助電気管理モジュール（２５）を第２基板（２４）に載置及び電気接続する。輔助電気管理モジュール（２５）は輔助電圧変換単元（２５１）を含む、電圧変換単元（１３１）と輔助電圧変換単元（２５１）の主な効果は、交流電気（Ａｌｔｅｒｎａｔｉｎｇ  Ｃｕｒｒｅｎｔ，  ＡＣ）を直流電気（Ｄｉｒｅｃｔ  Ｃｕｒｒｅｎｔ，  ＤＣ）に変換させる。
そもそも屋内電気の多くは交流電気であるため、これを一般の電子部品の稼働に必要な電圧と電流に変換して提供する。
さらに、図３に示すように、係る輔助格納装置（２０）はエクステンションデーターリンクインターフェイス（２６）と、エクステンション電気出力インターフェイス（２７）とを含む、第２基板（２４）によって載置及び電気接続される。
さらに、エクステンションデーターリンクインターフェイス（２６）及びエクステンション電気出力インターフェイス（２７）を利用して、メイン格納装置（１０）を輔助格納装置（２０）に接続する状態において、輔助格納装置（２０）の後設備をさらに接続して、拡張可能性を有効に拡張できる。
引き続き図４に示すように、係る格納装置（２０）は、少なくとも一つの輔助データーリンクインターフェイス（２８）を含む、係る輔助データーリンクインターフェイス（２８）を第２基板（２４）によって載置及び電気接続される。
係る輔助データーリンクインターフェイス（２８）は、外部のネットワークに接続するインターフェイスを指す。ネットワークは有線ネットワークまたは無線ネットワークであっても良い。これにより、メイン格納装置（１０）と、輔助格納装置（２０）と外部とを関連付けしたうえ、外部に関連リソースを利用させる。
ここにおいて、データーリンクインターフェイス（１４）と、輔助データーリンクインターフェイス（２８）を合わせて使用または別々に使用することができる。
引き続き、図５を参照する。輔助格納装置（２０）は、データー処理モジュール（２９）と、映像出力モジュール（３０）を含む、第２基板（２４）によって載置及び電気接続される。
これにより、元来の格納スペースがアップグレードされるほか、ビデオ媒体関連機能が追加される。データー処理モジュール（２９）はマルチメディア向けのマイクロプロセッサー（Ｍｉｃｒｏｐｒｏｃｅｓｓｏｒ，  ｕＰ）であり、映像出力モジュール（３０）は例えば、高精細度マルチメディアインターフェイス（Ｈｉｇｈ  Ｄｅｆｉｎｉｔｉｏｎ  Ｍｕｌｔｉｍｅｄｉａ  Ｉｎｔｅｒｆａｃｅ，  ＨＤＭＩ（登録商標））、デジタルビデオインターフェイス（Ｄｉｇｉｔａｌ  Ｖｉｓｕａｌ  Ｉｎｔｅｒｆａｃｅ，  ＤＶＩ）またはビデオグラフィックアレイ（Ｖｉｄｅｏ  Ｇｒａｐｈｉｃｓ  Ａｒｒａｙ，  ＶＧＡ）そのうちいずれかの一つまたはその組み合わせである。
引き続き、図５を参照する。係る輔助格納装置（２０）は、輔助データー管理モジュール（３１）を含む、係る輔助データー管理モジュール（３１）によって、データー管理モジュール（１６）にデジタルデーターの処理をサポートする。
【００３３】
以下は、本発明による格納装置のスタッキングシステムの最良の実施形態を例示し、本発明の稼働プロセスについて、詳しく説明する。
【００３４】
まず、図４を参照する。メイン格納装置（１０）の電気入力インターフェイス（１１）を外部の交流電気に接続し、係るメイン格納装置（１０）の電気管理モジュール（１３）の電圧変換単元（１３１）によって、電気入力インターフェイス（１１）より外部の交流電気を取り込み直流電気に変換した上、係るメイン格納装置（１０）内部の部品を電気導通させ、メイン格納装置（１０）のデーターリンクインターフェイス（１４）を外部のネットワークと電気接続する。
ここまで、メイン格納装置（１０）はすでに外部電源及びネットワークに接続されるほかに、電気入力インターフェイス（１１）と、電気出力インターフェイス（１２）と、電気管理モジュール（１３）と、データーリンクインターフェイス（１４）と、メインデーターブリッジインターフェイス（１５）と、データー管理モジュール（１６）と、メイン格納モジュール（１７）と、第１基板（１８）とを含む内部の電子部品にすべて電源を取り込み、相応の機能を稼働できる。
【００３５】
引き続き、メイン格納装置（１０）の電気出力インターフェイス（１２）が電気接続により、外部の交流電気を輔助格納装置（２０）の電気導入インターフェイス（２１）に伝送し、係る輔助格納装置（２０）の輔助電気管理モジュール（２５）の輔助電圧変換単元（２５１）は電気導入インターフェイス（２１）によって、取り込まれた外部の交流電気を直流電気に変換し、輔助格納装置（２０）内部の部品を電気導通させ、一方、メイン格納装置（１０）のメインデーターブリッジインターフェイス（１５）を輔助格納装置（２０）の輔助データーブリッジインターフェイス（２２）に電気接続する。
この状態において、係る輔助格納装置（２０）はすでに外部電源に接続され、電気導入インターフェイス（２１）と、輔助データーブリッジインターフェイス（２２）と、輔助格納モジュール（２３）と、第２基板（２４）と、輔助電気管理モジュール（２５）と、エクステンションデーターリンクインターフェイス（２６）と、エクステンション電気出力インターフェイス（２７）と、輔助データーリンクインターフェイス（２８）とを含む内部の電子部品がすべて電源を取り込み、メイン格納装置（１０）と、輔助格納装置（２０）。一般でよく見かけるレイド（Ｒｅｄｕｎｄａｎｔ  Ａｒｒａｙ  ｏｆ  Ｉｎｄｅｐｅｎｄｅｎｔ  Ｄｉｓｋｓ，  ＲＡＩＤ）、シーアイエフエス（Ｃｏｍｍｏｎ  Ｉｎｔｅｒｎｅｔ  Ｆｉｌｅ  Ｓｙｓｔｅｍ，  ＣＩＦＳ）及びネットワークファイルシステム（Ｎｅｔｗｏｒｋ  Ｆｉｌｅ  Ｓｙｓｔｅｍ，  ＮＦＳ）等のネットワークサーバーサービスとも相応の機能を稼働できる。
【００３６】
最後に、輔助データーリンクインターフェイス（２８）と、データーリンクインターフェイス（１４）を同じまたは別々のネットワーク環境に接続して、簡易ネットワークまたはバックアップネットワークの効果を達成される。
このとき、エクステンション電気出力インターフェイス（２７）と、輔助データーリンクインターフェイス（２８）にはさらにもう一つの輔助格納装置（２０’）を延設することができる。係る輔助格納装置（２０’）は、輔助格納装置（２１’）と、輔助データーブリッジインターフェイス（２２’）及び関連の部品とを含む。これを類推して、メイン格納装置（１０）の拡張可能性を有効に追加できる。
【００３７】
このほか図５に示すように、輔助格納装置（２０）は例えば、データー処理モジュール（２９）と、映像出力モジュール（３０）と、輔助データー管理モジュール（３１）とを含む、単純な格納功能の付属的拡張可能性を追加することができる。
【００３８】
前述したように、本発明の効果は、従来のサーバー形格納装置とは異なり、この種の格納装置は曾てにない発想であり、発明特許の要件を満足しているため、よって、法により特許を登録する。
【００３９】
以上に説明したものは、本発明の最良の実施形態であり、本発明の明細書、特許請求の範囲または図面に基づいた等効果の変化は、なお本発明の技術範疇に属し、なお、本発明の保護範疇は添付の特許請求の範囲による。
【符号の説明】
【００４０】
１０ メイン格納装置
１１ 電気入力インターフェイス
１２ 電気出力インターフェイス
１３ 電気管理モジュール
１３１ 電圧変換単元
１４ データーリンクインターフェイス
１５ メインデーターブリッジインターフェイス
１６ データー管理モジュール
１７ メイン格納モジュール
１８ 第１基板
２０ 輔助格納装置
２０’ 輔助格納装置
２１ 電気導入インターフェイス
２１’ 電気導入インターフェイス
２２ 輔助データーブリッジインターフェイス
２２’ 輔助データーブリッジインターフェイス
２３ 輔助格納モジュール
２４ 第２基板
２５ 輔助電気管理モジュール
２５１ 輔助電圧変換単元
２６ エクステンションデーターリンクインターフェイス
２７ エクステンション電気出力インターフェイス
２８ 輔助データーリンクインターフェイス
２９ データー処理モジュール
３０ 映像出力モジュール
３１ 輔助データー管理モジュール
【図１】
2016207213.tif 000003
【図２】
2016207213.tif 000004
【図３】
2016207213.tif 000005
【図４】
2016207213.tif 000006
【図５】
2016207213.tif 000007